(57)【要約】  複数層の情報記録層を有した記録可能な情報記録媒体が開示されている。  該開示された情報記録媒体は、複数層の情報記録層を有する記録可能な情報記録媒体において、前記情報記録層それぞれは、リードイン領域、ユーザデータ領域、リードアウト領域、及びドライブのための専用領域を備え、記録するユーザ情報の容量を等分し、各情報記録層に同容量のデータ領域が割り当てられることを特徴とする。
2007525784.tif 000002
【特許請求の範囲】
【請求項１】
複数層の情報記録層を有する記録可能な情報記録媒体において、
前記情報記録層それぞれは、リードイン領域、ユーザデータ領域、リードアウト領域、及びドライブによる使用のための専用領域を備え、記録するユーザ情報の容量を等分し、前記各情報記録層にほぼ同容量のユーザデータ領域が割り当てられることを特徴とする情報記録媒体。
【請求項２】
前記リードアウト領域の位置は、前記該当するユーザデータ領域の容量によって可変であることを特徴とする請求項１に記載の情報記録媒体。
【請求項３】
前記専用領域は、情報記録媒体の最外周部に配置されることを特徴とする請求項２に記載の情報記録媒体。
【請求項４】
各情報記録層の前記リードアウト領域と専用領域の対応するものとの間に余り領域があるとき、該余り領域には、データが記録されないことを特徴とする請求項３に記載の情報記録媒体。
【請求項５】
前記専用領域は、テスト領域であることを特徴とする請求項２に記載の情報記録媒体。
【請求項６】
前記各専用領域の位置は、固定されていることを特徴とする請求項２に記載の情報記録媒体。
【請求項７】
各専用領域は、情報記録媒体の各情報記録層の最外周部に配置されることを特徴とする請求項１に記載の情報記録媒体。
【請求項８】
各情報記録層の各リードアウト領域と対応する専用領域との間に余り領域があるとき、該余り領域には、データが記録されないことを特徴とする請求項７に記載の情報記録媒体。
【請求項９】
複数層の情報記録層を備え、前記情報記録層それぞれは、リードイン領域、ユーザデータ領域、リードアウト領域、及びドライブによる使用のための専用領域を有する記録可能な情報記録媒体にデータを記録する方法において、
前記専用領域を使用するドライブのためにテストを行う段階と、
記録するユーザ情報の容量を前記情報記録層の個数によって等分し、各情報記録層に同じ容量のユーザデータを記録する段階と、
前記各情報記録層のユーザデータ領域に続いてリードアウト属性のデータを記録する段階とを含むことを特徴とする方法。
【請求項１０】
前記専用領域は、各情報記録層の最外周部に配置することを特徴とする請求項９に記載の方法。
【請求項１１】
前記リードアウト領域と専用領域との間に余り領域があるとき、該余り領域には、データを記録しないことを特徴とする請求項９に記載の方法。
【請求項１２】
前記専用領域の位置は、固定的であることを特徴とする請求項９に記載の方法。
【請求項１３】
複数層の情報記録層を有する記録可能な情報記録媒体にデータを記録するシステムにおいて、前記情報記録層それぞれは、リードイン領域、ユーザデータ領域、リードアウト領域、及び前記システムにより使用するための専用領域を有し、前記システムは、
前記情報記録媒体にビームを照射するピックアップ部と、
前記情報記録媒体で反射されたビームを前記ピックアップ部を介して受けて信号処理する記録／再生信号処理部と、
前記システムのために各情報記録層の各専用領域でテストを行い、記録するユーザ情報の容量を前記情報記録層の個数によって等分し、各情報記録層にほぼ同容量のデータを記録させる制御部とを備えることを特徴とする装置。
【請求項１４】
情報記録媒体の記録層にデータを再生及び／または記録することを改善する方法において、
前記情報記録媒体に記録されるデータのサイズを決定する段階と、
前記情報記録媒体の各記録層のテスト領域に作動情報を決定する段階と、
ほぼ同容量が各記録層のデータ領域に記録されるようにデータを分配する段階と、
情報記録媒体の各記録層のデータ領域に分配されたデータを記録する段階と、
前記情報記録媒体の各記録層のデータ領域を記述するためにリードアウト属性パターンを記録する段階とを含む方法。
【請求項１５】
各テスト領域は、情報記録媒体の最外周に近く配置されることを特徴とする請求項１４に記載の方法。
【請求項１６】
付加データが各記録層の前記記述されたデータ領域とテスト領域との間の領域に記録されないことを特徴とする請求項１４に記載の方法。
【請求項１７】
情報記録媒体の記録層にデータを記録及び／または記録層からデータを再生する光ピックアップ部と、
前記光ピックアップ部を制御することにより、情報記録媒体の作動情報を決定して情報記録媒体の各記録層の固定領域でテストを行い、情報記録媒体に記録されるデータのサイズを決定し、記録層間にほぼ同一にデータのサイズを分配し、各記録層のデータ領域に分配されたデータを記録するように前記光ピックアップ部を制御し、前記データ領域を記述するリードアウト属性を記録する制御部とを備える装置。
【請求項１８】
前記リードアウト属性パターンがリードアウト領域に記録され、その位置が分配されたデータサイズによって変わることを特徴とする請求項１７に記載の装置。
【請求項１９】
前記固定領域は、情報記録媒体の最外周にあることを特徴とする請求項１７に記載の装置。
【請求項２０】
付加データは、記述されたデータ領域と固定領域との間の領域に記録されないことを特徴とする請求項１９に記載の装置。
【発明の詳細な説明】
【技術分野】
【０００１】
本発明は、複数層の情報記録層を有し、記録速度及び記録性能を向上させるように各情報記録層のリードイン領域、リードアウト領域、及びユーザデータ領域のレイアウト構造の決められた情報記録媒体、及びデータの記録方法並びに装置に関する。
【背景技術】
【０００２】
一般的に、情報記録媒体は、非接触式で情報を記録／再生する光ピックアップ装置の情報記録媒体として広く採用され、情報記録媒体の一種である光ディスクのタイプは、情報記録容量により、コンパクトディスク（ＣＤ）、またはデジタル多機能ディスク（ＤＶＤ）に区分される。そして、記録、消去及び再生の可能な光ディスクとしては、６５０ＭＢ  ＣＤ−Ｒ、ＣＤ−ＲＷ、４．７ＧＢ  ＤＶＤ＋ＲＷなどがある。さらに進んで、記録容量が２０ＧＢ以上のＨＤ−ＤＶＤも開発されている。
【０００３】
かように、情報記録媒体は、だんだんと記録容量が増大する方向に開発されている。記録容量を増大させる方法としては、代表的なものとして、記録光源の波長を短波長化し、対物レンズの開口数を高開口数化する方法がある。それ以外に、情報記録層を複数層により構成する方法がある。複数層の情報記録層を有するＤＶＤ−ＲＯＭについて、１９９９．３．９．に公開された米国特許ＵＳ５，８８１，０３２号明細書に開示されている。
【０００４】
そこに開示された二層情報記録層を有するディスクのセクタアドレス構造が図１Ａに図示されている。該ディスクには、第１情報記録層Ｌ１と第２情報記録層Ｌ２とが備わり、各情報記録層には、リードイン領域１ａ，２ａとリードアウト領域１ｂ，２ｂとが備わる。前記第１情報記録層Ｌ１では、ディスクの内周Ｒｉｎから外周Ｒｏｕｔ方向に行きつつ、第１セクタアドレスＸが大きくなり、第２情報記録層Ｌ２では、ディスク外周Ｒｏｕｔからディスク内周Ｒｉｎに行きつつ第２セクタアドレスＸ’が大きくなる。
【０００５】
一方、二層以上の情報記録層を有する多層光ディスクは、ディスクに記録された情報を記録／再生する方向により、ＯＴＰ（オポジットトラックパス）とＰＴＰ（パラレルトラックパス）とに分けられる。ＯＴＰは、図１Ｂに図示されているように、前記第１情報記録層Ｌ１の内周Ｒｉｎから外周Ｒｏｕｔ側に再生が行われ、次いで第２情報記録層Ｌ２の外周Ｒｏｕｔから内周Ｒｉｎ方向に再生が行われる。換言すれば、ＯＴＰは、トラックスパイラル方向が各情報記録層ごとに交互に反対方向に形成される類型をいう。また、図１Ｃは、ＯＴＰの場合に、第１情報記録層ないし第４情報記録層Ｌ１，Ｌ２，Ｌ３，Ｌ４を有する多層光ディスクを図示したものである。ここで、前記第１情報記録層ないし第４情報記録層Ｌ１，Ｌ２，Ｌ３，Ｌ４には、ディスクの内周領域と外周領域とに交互に第１リードイン領域ないし第４リードイン領域１ａ，２ａ，３ａ，４ａと、第１リードアウト領域ないし第４リードアウト領域１ｂ，２ｂ，３ｂ，４ｂが備わる。かかる四層光ディスクの再生方向を見れば、第１情報記録層Ｌ１の内周Ｒｉｎから外周Ｒｏｕｔに、次いで第２情報記録層Ｌ２の外周Ｒｏｕｔから内周Ｒｉｎに、第３情報記録層Ｌ３の内周Ｒｉｎから外周Ｒｏｕｔに、第４情報記録層Ｌ４の外周Ｒｏｕｔから内周Ｒｉｎに再生される。
【０００６】
図２は、ＰＴＰ類型の二層光ディスクを図示したものであり、第１情報記録層Ｌ１の内周Ｒｉｎから外周Ｒｏｕｔ側に情報が再生され、次いで第２情報記録層Ｌ２の外周から内周側に情報が再生される。言い換えれば、トラックスパイラル方向が各情報記録層ごとに同一に形成される類型をいう。ここで、前記第１情報記録層Ｌ１の内周側に第１リードイン領域１ａが、外周側に第１リードアウト領域１ｂが備わり、前記第２情報記録層Ｌ２の内周側に第２リードイン領域２ａが、外周側に第２リードアウト領域２ｂが備わる。
【０００７】
多数層の記録可能なディスクの場合において、前記リードイン領域１ａ，２ａ，３ａ，４ａとリードアウト領域１ｂ，２ｂ，３ｂ，４ｂとには、ディスクに関する情報が記録されており、記録可能なディスクの場合、記録に関連したさまざまな条件が共に記録される。従って、これらリードイン領域とリードアウト領域とに記録された情報を再生してこそ、ユーザデータを正常に記録／再生できる。
【０００８】
かかる多層の情報記録媒体に記録しなければならない情報の容量が、多層の情報記録層全体的に使用可能な情報容量に比べて少ないとき、前記多層の情報記録層のうち少なくとも単層の情報記録層に一部余る空間が生じる。
【０００９】
かように、データが記録されない領域に対する処理をいかようにすべきかは、さまざまな種類の情報記録媒体に対し、統一的でありかつ、一貫性をもって決まらねばならない。参考までに、図３Ａは、記録可能な単層情報記録媒体であり、図３Ｂは、記録可能な二層情報記録媒体であり、リードイン領域、リードアウト領域、及びユーザデータ領域の位置または容量が固定されている。
【００１０】
一方、図４に図示されているように、第１情報記録層Ｌ１のデータ領域全体にわたって情報が記録され、第２情報記録層Ｌ２のデータ領域の一部に情報が記録される。ここで、光が第１情報記録層と第２情報記録層とを通過するとき、第１情報記録層では、記録された部分Ｌ１Ｒを通過し、第２情報記録層では、情報が記録されていない部分Ｌ２Ｎを通過するようになったり、または第１情報記録層及び第２情報記録層のいずれでも情報が記録された部分Ｌ１Ｒ，Ｌ２Ｒを通過するようになる場合がある。かように、光の通過する領域の再生条件が異なれば、再生特性に影響を及ぼすことがある。
【００１１】
前記のように、情報記録媒体のレイアウトを定めるとき、他種の情報記録媒体との一貫性及び統一性を考慮し、多層の情報記録層に対する再生性能を考慮する必要がある。また、記録容量が増加するにつれ、記録速度を向上させることも重要な課題のうちの一つである。
【００１２】
例えば、一般の記録可能なＤＶＤは、単層の情報記録層を有し、容量が４．７ＧＢである。これに対し、ＤＶＤ−ＲＯＭは、容量が８．５ＧＢであり、情報記録層が二層であるディスクが販売されている。ところで、かかる８．５ＧＢ容量のＤＶＤ−ＲＯＭで、情報をバックアップするためには、同容量の記録可能なＤＶＤが必要である。また、情報をバックアップする時間を短縮させるために、情報を効果的に記録できる方法が摸索される必要がある。
【発明の開示】
【発明が解決しようとする課題】
【００１３】
本発明は、前記の問題点を解決するために創出され、記録時間が最小化され、記録層間にピックアップを効果的に移動できるように、各領域のレイアウト構造が規定された情報記録媒体、及びデータの記録方法並びに装置を提供するところに目的がある。
【課題を解決するための手段】
【００１４】
前記の目的を達成するために、本発明による情報記録媒体は、複数層の情報記録層を有する記録可能な情報記録媒体において、前記情報記録層それぞれは、リードイン領域、ユーザデータ領域、リードアウト領域、及びドライブのための専用領域を備え、記録するユーザ情報の容量を等分し、前記各情報記録層に同容量のデータ領域が割り当てられることを特徴とする。
【００１５】
前記リードアウト領域の位置は、前記データ領域の容量によって可変であることを特徴とする。
【００１６】
前記専用領域は、情報記録媒体の最外周部に配置されることを特徴とする。
【００１７】
前記リードアウト領域と専用領域との間に余り領域があるとき、該余り領域には、データが記録されないことが望ましい。
【００１８】
前記専用領域は、テスト領域であり、前記専用領域の位置は、固定的であることが望ましい。
【００１９】
前記目的を達成するために、本発明によるデータ記録方法は、複数層の情報記録層を備え、前記情報記録層それぞれは、リードイン領域、ユーザデータ領域、リードアウト領域、及びドライブのための専用領域を有する記録可能な情報記録媒体にデータを記録する方法において、前記ドライブのための専用領域でテストを行う段階と、記録するユーザ情報の容量を前記情報記録層の個数によって等分し、各情報記録層に同容量のデータを記録する段階と、前記各情報記録層のデータ領域に続いてリードアウト属性のデータを記録する段階とを含むことを特徴とする。
【００２０】
前記目的を達成するために本発明によるデータ記録装置は、複数層の情報記録層を備え、前記情報記録層それぞれは、リードイン領域、ユーザデータ領域、リードアウト領域、及びドライブのための専用領域を有する記録可能な情報記録媒体にデータを記録する装置において、前記情報記録媒体にビームを照射するピックアップ部と、前記情報記録媒体で反射されたビームを前記ピックアップ部を介して受けて信号処理する記録／再生信号処理部と、前記ドライブのための専用領域でテストを行い、記録するユーザ情報の容量を前記情報記録層の個数によって等分し、各情報記録層に同容量のデータを記録させる制御部とを備えることを特徴とする。
【００２１】
本発明の付加的な様態及び／または利点は、後述の説明部分で記述され、部分的に該説明から自明になり、または本発明の実施により習得可能である。
【発明の効果】
【００２２】
本発明による情報記録媒体は、記録可能な情報記録媒体についての物理的レイアウトを提供する。本発明による情報記録媒体は、リードイン領域、データ領域、及びリードアウト領域を備える複数の情報記録層を設け、各情報記録層に同一な容量の情報が記録されるように、データ領域が割り当てられる。そして、データが記録されて残った領域に対するレイアウトを提示することにより、データ記録時間を最小化させられる。
【発明を実施するための最良の形態】
【００２３】
本発明の以下及び／または他の様態及び利点は、添付された図面と関連した実施例の後続説明から明白になり、かつさらに一層容易に理解できるのである。
【００２４】
本発明の実施例、添付された図面に図示された例について詳細に参照がなされ、明細書全般を介して類似の参照番号は、類似の要素を指す。実施例が図面を参照しつつ本発明を説明するために、以下に記述される。
【００２５】
本発明の実施例による情報記録媒体は、複数層の情報記録層を具備した記録可能な情報記録媒体であり、図５Ａを参照するに、各情報記録層は、ユーザデータが記録されるデータ領域、該データ領域の内周と外周とに備わったリードイン領域とリードアウト領域とを備える。
【００２６】
本発明の実施例による情報記録媒体は、記録可能な情報記録媒体に適用可能であり、特に、追記型情報記録媒体であり、情報を記録する前にドライブで記録しようとする情報の容量をあらかじめ知っている場合に有用に適用可能である。
【００２７】
情報記録媒体が複数層の情報記録層を具備するとき、記録しようとする情報の容量を情報記録層の個数で割り、その容量に対応するように各情報記録層に同容量の情報が記録されるようにする。すなわち、記録しようとする情報の容量により、データ領域及びリードアウト領域の容量及び位置が可変的になりうる。
【００２８】
図５Ａは、ＯＴＰ型デュアル情報記録媒体であり、図５Ｂは、ＰＴＰ型デュアル情報記録媒体である。図５Ａを参照するに、第１情報記録層Ｌ１と第２情報記録層Ｌ２とが備わり、各情報記録層Ｌ１，Ｌ２は、それぞれリードイン領域２０−Ｌ１，２０−Ｌ２、データ領域３０−Ｌ１，３０−Ｌ２、及びリードアウト領域４０−Ｌ１，４０−Ｌ２を備える。そして、記録しようとする情報の容量が決まっているとき、この情報容量を二等分し、それぞれの半分を前記データ領域３０−Ｌ１，３０−Ｌ２に割り当てる。図面で、Ｃで表示された部分は、ユーザデータを最大に記録できる領域として決められた位置を表す。
【００２９】
また、各情報記録層のデータ領域３０−Ｌ１，３０−Ｌ２の外周側にリードアウト領域４０−Ｌ１，４０−Ｌ２を割り当て、リードアウト属性を有するパターンに記録する。それにより、リードアウト領域４０−Ｌ１，４０−Ｌ２は、記録されるデータ容量によって変わる。
【００３０】
ここで、データが記録される方向に対して中間にあるリードイン領域とリードアウト領域とをミドル領域、または連結領域ということができる。すなわち、図５Ａでは、第１情報記録層のリードアウト領域４０−Ｌ１と第２情報記録層のリードアウト領域４０−Ｌ２とが、図５Ｂでは、第１情報記録層のリードアウト領域４０−Ｌ１と第２情報記録層のリードイン領域２０−Ｌ２とがミドル領域、または連結領域ということができる。
【００３１】
一方、本発明の実施例による情報記録媒体は、ユーザデータを記録する前に、ドライブで記録と関連した情報を読み込んで記録を行うことができるように、記録及び／または再生装置（以下、ドライブという）による使用のための専用領域が備わる。ドライブのための専用領域には、例えば、記録媒体に対する最適の記録パワーを探すためにテストが行われるテスト領域、どのドライブでいつ記録が行われたかなどを知ることができる情報が記録される領域などが備わりうる。
【００３２】
ところで、ドライブでのテストは、ユーザデータが記録される前に行われるので、記録する情報の容量についての情報を分からないために、ドライブがどの領域でテストを行うべきか認識不可能である。従って、テスト領域の位置を固定的に設定するのが望ましい。
【００３３】
図５Ａ及び図５Ｂに図示されているように、ドライブによる使用のための専用領域、例えば、テスト領域４５−Ｌ１，４５−Ｌ２は、各情報記録層Ｌ１，Ｌ２の最外周部に固定的に配置されることが望ましい。情報記録媒体がドライブにローディングされれば、ドライブは、前記テスト領域４５−Ｌ１，４５−Ｌ２でテストを行った後でデータ記録を行う。次に、記録されるデータのサイズによって決まるデータ領域３０−Ｌ１，３０−Ｌ２の外周側にリードアウト属性のパターンを記録する。
【００３４】
ここで、必要なリードアウト属性のパターンの記録が前記テスト領域４０−Ｌ１，４０−Ｌ２から空間を残して終るとき、リードアウト領域４０−Ｌ１，４０−Ｌ２とテスト領域４５−Ｌ１，４５−Ｌ２との間の領域４３−Ｌ１，４３−Ｌ２は、それぞれ記録を行っていない状態で残す。かように、残り部分を記録しないために、記録媒体の最外周部までリードアウト属性を有するパターンを記録する場合に比べ、記録時間が短縮されるという利点がある。また、ピックアップの層間移動を効率的に行うためには、ＯＴＰ型で記録することが望ましい。
【００３５】
次に、図６Ａ及び図６Ｂは、第１情報記録層ないし第４情報記録層Ｌ１，Ｌ２，Ｌ３，Ｌ４を備える多層情報記録媒体を図示したものであり、それぞれＯＴＰ型とＰＴＰ型とを表したものである。
【００３６】
前記第１情報記録層ないし第４情報記録層は、それぞれ、リードイン領域２０−Ｌ１，２０−Ｌ２，２０−Ｌ３，２０−Ｌ４、データ領域３０−Ｌ１，３０−Ｌ２，３０−Ｌ３，３０−Ｌ４、リードアウト領域４０−Ｌ１，４０−Ｌ２，４０−Ｌ３，４０−Ｌ４、ドライブのための専用領域４５−Ｌ１，４５−Ｌ２，４５−Ｌ３，４５−Ｌ４を備える。
【００３７】
第１情報記録層ないし第４情報記録層には、記録する情報の容量がほぼ等分されて同容量にデータ領域が割り当てられる。そして、ユーザ情報が記録されたデータ領域に続いてリードアウト領域が備わる。参照番号Ｃは、記録できるユーザデータの最大容量を表す。リードアウト領域４０−Ｌ１，４０−Ｌ２，４０−Ｌ３，４０−Ｌ４には、リードアウト属性のパターンが記録される。
【００３８】
ここで、前記専用領域４５−Ｌ１，４５−Ｌ２，４５−Ｌ３，４５−Ｌ４は、各情報記録層の最外周部に配置されることが望ましく、前記リードアウト領域と専用領域との間に余り領域があるときには、なんのデータも記録しない領域４３−Ｌ１，４３−Ｌ２，４３−Ｌ３，４３−Ｌ４として残す。
【００３９】
次に、図７は、本発明の実施例による情報記録媒体の記録／再生装置を概略的に表したものである。
【００４０】
該記録／再生装置は、ピックアップ部５０、記録／再生信号処理部６０、及び制御部７０を備えて構成される。さらに具体的に述べれば、記録／再生装置は、光を照射するレーザダイオード５１、前記レーザダイオード５１から照射される光を平行にするコリメーティングレンズ５２、入射光の進路を変換するビームスプリッタ５４、ビームスプリッタ５４を通過した光を情報記録媒体Ｄに集束させる対物レンズ５６を備える。
【００４１】
前記情報記録媒体Ｄで反射された光が前記ビームスプリッタ５４により反射され、光検出器、例えば四分割光検出器５７に受光される。前記光検出器５７に受光された光は、演算回路部５８を経て電気信号に変換され、ＲＦ信号、すなわち、サム信号として検出されるチャンネル１
Ｃｈ１と、プッシュプル方式に信号を検出する差動信号チャンネル２ Ｃｈ２とに出力される。
【００４２】
一例として図５Ａを参照するに、制御部７０は、情報記録媒体Ｄにデータを記録する前に、情報記録媒体Ｄの所定領域に設けられたテスト領域４５−Ｌ１，４５−Ｌ２でテストを行う。そして、記録する情報容量により、情報記録媒体の各情報記録層にほぼ同容量にユーザデータを記録させる。制御部７０は、テストを介して得た適正パワーの記録ビームをピックアップ部５０を介して照射する。該記録ビームにより、前記情報記録媒体Ｄにデータが記録される。そして、ユーザデータの記録が完了すれば、次にリードアウト属性のパターンを記録する。
【００４３】
一方、制御部７０は、データ領域とテスト領域との間に余り領域４５−Ｌ１，４５−Ｌ２が生じるとき、前記領域４５−Ｌ１，４５−Ｌ２に何のデータも記録せずに（すなわち、該領域は、空の状態として残る）、記録を終えるように制御する。
【００４４】
かように記録されたデータを再生するために、前記情報記録媒体Ｄから反射されたビームが対物レンズ５６とビームスプリッタ５４とを介して光検出器５７に入力される。光検出器５７に入力された信号は、演算回路部５８により電気信号に変換され、ＲＦ信号として出力される。
【００４５】
本発明の様態によるデータ記録方法は、情報記録媒体がドライブにローディングされれば、情報記録媒体に記録される情報の容量を認識し、情報記録媒体の所定領域に設けられたドライブのための専用領域、例えば、テスト領域でテストを行う。そして、前記情報容量を等分し、各情報記録層にほぼ同容量にデータ領域を割り当てる。そして、その割り当てられた容量によってデータを記録する。その後、各情報記録層では、データ領域に続いてリードアウト属性のデータを記録する。
【００４６】
一方、リードアウト領域とドライブのための専用領域との間に余り領域があるとき、データを記録せずに残す。
【００４７】
前述のように、本発明による情報記録媒体は、記録可能な情報記録媒体、特に、追記型情報記録媒体に対する物理的レイアウトを提供する。本発明による情報記録媒体は、リードイン領域、データ領域、及びリードアウト領域を備える複数層の情報記録層を備え、各情報記録層にほぼ同容量の情報が記録されるようにデータ領域が割り当てられる。そして、データが記録されて残った領域に対するレイアウトを提示することにより、データ記録時間を最小化させる。
【００４８】
また、本発明によるデータ記録方法及び装置は、情報記録媒体にデータを効率的に記録可能とする。
【図面の簡単な説明】
【００４９】
【図１Ａ】従来のＤＶＤ−ＲＯＭ二層光ディスクのセクタアドレス構造を表した図である。
【図１Ｂ】従来のＤＶＤ−ＲＯＭ二層光ディスクで、ＯＴＰの場合に、リードイン領域及びリードアウト領域の配置構造を表した図である。
【図１Ｃ】従来のＤＶＤ−ＲＯＭ四層光ディスクで、ＯＴＰの場合に、リードイン領域及びリードアウト領域の配置構造を表した図である。
【図２】従来のＤＶＤ−ＲＯＭ二層光ディスクで、ＰＴＰの場合に、リードイン領域及びリードアウト領域の配置構造を表した図である。
【図３Ａ】従来の単層の記録可能な情報記録媒体のレイアウトを表した図である。
【図３Ｂ】従来の二層の記録可能な情報記録媒体のレイアウトを表した図である。
【図４】従来の二層の情報記録媒体の一部領域にデータが記録された場合に、光が入射される領域を表した図である。
【図５Ａ】本発明による二層情報記録媒体のレイアウトを表した図である。
【図５Ｂ】本発明による二層情報記録媒体のレイアウトを表した図である。
【図６Ａ】本発明による四層情報記録媒体のレイアウトを表した図である。
【図６Ｂ】本発明による四層情報記録媒体のレイアウトを表した図である。
【図７】本発明による情報記録媒体にデータを記録／再生する装置を概略的に表した図である。
【図１Ａ】
2007525784.tif 000003
【図１Ｂ】
2007525784.tif 000004
【図１Ｃ】
2007525784.tif 000005
【図２】
2007525784.tif 000006
【図３Ａ】
2007525784.tif 000007
【図３Ｂ】
2007525784.tif 000008
【図４】
2007525784.tif 000009
【図５Ａ】
2007525784.tif 000010
【図５Ｂ】
2007525784.tif 000011
【図６Ａ】
2007525784.tif 000012
【図６Ｂ】
2007525784.tif 000013
【図７】
2007525784.tif 000014
【国際調査報告】
2007525784.tif 000015